(57)【要約】【課題】電力消費を極力抑えた上で庫内設定温度が高い方の貯蔵室における結露を抑制する。【解決手段】冷蔵室１２内を昇温するべくエアダクト３０に装着されたダクトヒータ４０と、周囲温度を検知する周囲温度センサ５７と、ダクトヒータ４０の発熱量を制御するヒータ制御部５０とが具備される。ヒータ制御部５０は、冷蔵室設定温度ＴＲと冷凍室設定温度ＴＦとを比較してその差が所定値以上である場合に演算指示信号を送出する比較部５１と、その演算指示信号を受けた場合に周囲温度と冷蔵室設定温度ＴＲとの差を演算する温度差演算部５２と、温度差演算部５２の演算値に基づき同演算値が小さいほどダクトヒータ４０への通電率が大となるように制御する通電率制御部５３とから構成される。【選択図】図４
2010266123.tif 000002
【特許請求の範囲】
【請求項１】
断熱箱体からなる貯蔵庫本体内には複数の貯蔵室が断熱性の仕切壁により区分して形成され、各貯蔵室には、冷凍サイクルの一部を構成する冷却器と、同冷却器を通過しつつ当該貯蔵室内に循環流を生じさせる冷却ファンとがそれぞれ設けられるとともに、互いに高低異なる庫内設定温度が設定されるようになっており、
各貯蔵室では、庫内温度センサで検知された庫内温度が対応する庫内設定温度よりも高いか低いかに応じて前記冷却器の冷却動作を実行しまたは停止することを繰り返すことにより、庫内が対応する庫内設定温度に維持されるようにした冷却貯蔵庫において、
庫内設定温度が高い方の貯蔵室内を昇温するべく同貯蔵室に設けられたヒータと、
当該冷却貯蔵庫の設置位置の周囲温度を検知する周囲温度センサと、
高い方の庫内設定温度と低い方の庫内設定温度との差が所定値以上であることを条件に、周囲温度と高い方の庫内設定温度との差に基づき同差が小さいほど前記ヒータの発熱量が大きくなるように制御するヒータ制御手段と、
が具備されていることを特徴とする冷却貯蔵庫。
【請求項２】
前記ヒータ制御手段は、
高い方の庫内設定温度と低い方の庫内設定温度とを比較してその差が所定値以上である場合に演算指示信号を送出する比較部と、
前記演算指示信号を受けた場合に周囲温度と高い方の庫内設定温度との差を演算する温度差演算部と、
前記温度差演算部の演算値に基づき同演算値が小さいほど前記ヒータへの通電率が大となるように制御する通電率制御部と、
から構成されていることを特徴とする請求項１記載の冷却貯蔵庫。
【請求項３】
前記各貯蔵室の天井部にはドレンパンを兼ねたエアダクトが張設されることで前記冷却器が収容された冷却器室が形成されるとともに、前記エアダクトには前記冷却ファンが装着され、冷却運転時には前記冷却ファンの駆動に伴い前記冷却器と熱交換して生成された冷気が貯蔵室内に循環供給される一方、前記冷却器に装着された除霜ヒータにより同冷却器を加熱して着霜を除去する除霜運転が行われるようになっており、かつ前記エアダクトにおける前記冷却ファンの配設位置の近傍には、前記除霜運転時に併せて発熱されるダクトヒータが装着されているものであって、
前記ダクトヒータが、庫内設定温度が高い方の貯蔵室内を昇温するべく設けられた前記ヒータであることを特徴とする請求項１または請求項２記載の冷却貯蔵庫。
【請求項４】
前記各貯蔵室の天井部にはドレンパンを兼ねたエアダクトが張設されることで前記冷却器が収容された冷却器室が形成され、冷却運転時には前記冷却ファンの駆動に伴い前記冷却器と熱交換して生成された冷気が貯蔵室内に循環供給される一方、前記冷却器には除霜ヒータが装着されて同除霜ヒータにより前記冷却器を加熱して着霜を除去する除霜運転が行われるようになっているものであって、
前記除霜ヒータが、庫内設定温度が高い方の貯蔵室内を昇温するべく設けられた前記ヒータであることを特徴とする請求項１または請求項２記載の冷却貯蔵庫。
【発明の詳細な説明】
【技術分野】
【０００１】
本発明は、庫内設定温度が互いに異なる複数の貯蔵室を備えた冷却貯蔵庫に関する。
【背景技術】
【０００２】
この種の冷却貯蔵庫の一例として冷凍冷蔵庫が挙げられる。冷凍冷蔵庫は、断熱箱体からなる本体内が断熱性の仕切壁で冷蔵室と冷凍室とに区分され、各室にはそれぞれ、冷凍サイクルの一部を構成する冷却器と、冷却ファンとが装備された構造であって、各室では、庫内温度センサで検知された庫内温度と、予め定められた庫内設定温度とが比較され、庫内温度が設定温度よりも高いか低いかにより、冷却動作とその停止とが繰り返されて、各室がそれぞれ、ほぼ庫内設定温度に維持されるようになっている（例えば、特許文献１参照）。
【先行技術文献】
【特許文献】
【０００３】
【特許文献１】特開２０００−２２０９３９号公報
【発明の概要】
【発明が解決しようとする課題】
【０００４】
この種の冷凍冷蔵庫において、冷蔵室と冷凍室の各庫内設定温度の差が大きいと、仕切壁を通して冷凍室の冷熱が冷蔵室に伝わり、冷蔵室に面した仕切壁の表面温度が低くなりやすい。一方、当該冷凍冷蔵庫の設置位置の周囲温度と冷蔵室の庫内設定温度との差が小さいほど、庫外からの熱侵入が少なくて冷蔵室の庫内温度が上昇し難いために冷却動作の停止時間が長くなり、すなわち冷却器での着霜が抑制されることで冷蔵室内が高湿度になりやすく、上記した低温状態にある冷蔵室側の仕切壁の表面に結露が生じやすいという問題があった。  
本発明は上記のような事情に基づいて完成されたものであって、その目的は、電力消費を極力抑えた上で庫内設定温度が高い方の貯蔵室における結露を抑制するところにある。
【課題を解決するための手段】
【０００５】
本発明は、断熱箱体からなる貯蔵庫本体内には複数の貯蔵室が断熱性の仕切壁により区分して形成され、各貯蔵室には、冷凍サイクルの一部を構成する冷却器と、同冷却器を通過しつつ当該貯蔵室内に循環流を生じさせる冷却ファンとがそれぞれ設けられるとともに、互いに高低異なる庫内設定温度が設定されるようになっており、各貯蔵室では、庫内温度センサで検知された庫内温度が対応する庫内設定温度よりも高いか低いかに応じて前記冷却器の冷却動作を実行しまたは停止することを繰り返すことにより、庫内が対応する庫内設定温度に維持されるようにした冷却貯蔵庫において、庫内設定温度が高い方の貯蔵室内を昇温するべく同貯蔵室に設けられたヒータと、当該冷却貯蔵庫の設置位置の周囲温度を検知する周囲温度センサと、高い方の庫内設定温度と低い方の庫内設定温度との差が所定値以上であることを条件に、周囲温度と高い方の庫内設定温度との差に基づき同差が小さいほど前記ヒータの発熱量が大きくなるように制御するヒータ制御手段と、が具備されているに特徴を有する。
【０００６】
高い方の庫内設定温度と低い方の庫内設定温度との差が所定値以上ある場合、すなわち庫内設定温度が高い方の貯蔵室（高温側の貯蔵室）に面した仕切壁の表面が、隣室の冷熱の影響で低温状態にあると見なされる際には、その高温側の貯蔵室に設けられたヒータが冷却運転中に発熱される。それにより同貯蔵室の庫内温度が上昇するために冷却動作が実行される時間が長くなり、庫内空気が冷却器を通過することに伴う除湿効果によって高温側の貯蔵室の庫内湿度が低下し、高温側の貯蔵室の仕切壁への結露が防止される。  
ここで、周囲温度と高温側の貯蔵室の庫内設定温度との差が小さいほど、庫外からの熱侵入による同高温側の貯蔵室の温度上昇が少なく、したがってヒータの発熱による補助が多く必要であり、逆に周囲温度と高温側の貯蔵室の庫内設定温度との差が大きくなれば、庫外からの熱侵入による同高温側の貯蔵室の温度上昇が多くなることで、ヒータの発熱による補助が少なくて済むという事情がある。そこで本発明では、周囲温度と高温側の貯蔵室の庫内設定温度との差が小さいほどヒータの発熱量が大きくなるように、すなわち必要に応じたヒータの発熱量を得るようにして、消費電力を最小限に抑えている。また、ヒータの発熱量が多過ぎて貯蔵室内が過剰昇温されると、逆に冷却動作の実行時間が長くなり過ぎて冷凍装置の運転用の電力も余分に必要となるが、本発明では過剰な冷却動作も防止される。  
結果、電力消費を極力抑えた上で庫内設定温度が高い方の貯蔵室における結露を抑制することができる。
【０００７】
また、以下のような構成としてもよい。  
（１）前記ヒータ制御手段は、高い方の庫内設定温度と低い方の庫内設定温度とを比較してその差が所定値以上である場合に演算指示信号を送出する比較部と、前記演算指示信号を受けた場合に周囲温度と高い方の庫内設定温度との差を演算する温度差演算部と、前記温度差演算部の演算値に基づき同演算値が小さいほど前記ヒータへの通電率が大となるように制御する通電率制御部と、から構成されている。  
高い方の庫内設定温度と低い方の庫内設定温度との差が所定値以上あることが比較部において認識されると、周囲温度と高い方の庫内設定温度との差が演算され、その演算値に基づき同演算値が小さいほどヒータへの通電率が大となるように制御される。
【０００８】
（２）前記各貯蔵室の天井部にはドレンパンを兼ねたエアダクトが張設されることで前記冷却器が収容された冷却器室が形成されるとともに、前記エアダクトには前記冷却ファンが装着され、冷却運転時には前記冷却ファンの駆動に伴い前記冷却器と熱交換して生成された冷気が貯蔵室内に循環供給される一方、前記冷却器に装着された除霜ヒータにより同冷却器を加熱して着霜を除去する除霜運転が行われるようになっており、かつ前記エアダクトにおける前記冷却ファンの配設位置の近傍には、前記除霜運転時に併せて発熱されるダクトヒータが装着されているものであって、前記ダクトヒータが、庫内設定温度が高い方の貯蔵室内を昇温するべく設けられた前記ヒータである。  
ダクトヒータは、冷却器室を構成するエアダクトに設けられ、除霜運転中に発熱されることで冷却ファン付近を除霜することに機能する。冷却運転中には、このダクトヒータを発熱させることで、結露防止を図るべく高温側の貯蔵室内を昇温することができる。
【０００９】
（３）前記各貯蔵室の天井部にはドレンパンを兼ねたエアダクトが張設されることで前記冷却器が収容された冷却器室が形成され、冷却運転時には前記冷却ファンの駆動に伴い前記冷却器と熱交換して生成された冷気が貯蔵室内に循環供給される一方、前記冷却器には除霜ヒータが装着されて同除霜ヒータにより前記冷却器を加熱して着霜を除去する除霜運転が行われるようになっているものであって、前記除霜ヒータが、庫内設定温度が高い方の貯蔵室内を昇温するべく設けられた前記ヒータである。  
除霜ヒータは冷却器に装着され、除霜運転中に発熱されることで冷却器に付着した着霜を除去することに機能する。冷却運転中には、この除霜ヒータを発熱させることにより、エアダクトを挟んで結露防止を図るべく高温側の貯蔵室内を昇温することができる。除霜運転を可能とした冷却貯蔵庫に必須の除霜ヒータを貯蔵室昇温用のヒータに兼用したから、コスト低減に寄与し得る。
【発明の効果】
【００１０】
本発明によれば、電力消費を極力抑えた上で庫内設定温度が高い方の貯蔵室における結露を抑制することができる。
【図面の簡単な説明】
【００１１】
【図１】本発明の実施形態に係る冷凍冷蔵庫の正面図
【図２】冷蔵室側を示す縦断面図
【図３】エアダクトの平面図
【図４】ヒータの通電制御機構のブロック図
【図５】ヒータ通電率を示すグラフ
【図６】ヒータの通電制御のフローチャート
【発明を実施するための形態】
【００１２】
＜実施形態１＞
本発明の実施形態１を図１ないし図６によって説明する。この実施形態では、４ドア型の冷凍冷蔵庫を例示している。  
冷凍冷蔵庫は、図１及び図２に示すように、前面開口のやや縦長の断熱箱体からなる本体１０を有しており、本体１０内には、間口方向の中央部に断熱性の仕切壁１１が設けられることで、正面から見た右側に冷蔵室１２が、左側に冷凍室１３が形成されている。本体１０の前面開口部には、観音開き式の断熱扉１４が上下２段に分かれて装着されている。本体１０は、底面に配された図示４本の脚１５で支持されているとともに、本体１０の上面には、パネルで囲まれることにより機械室１６が形成されている。
【００１３】
機械室１６内には、冷蔵室１２と冷凍室１３とにそれぞれ対応して、独立した冷凍ユニット２０が装備されている。冷蔵室１２側を例に採ると、冷凍ユニット２０は、平面方形をなす断熱性の基台２１の上面に、圧縮機２３、凝縮器ファン２４Ａが付設された空冷式の凝縮器２４等からなる冷凍装置２２が載置されるとともに、下面側に冷却器２５が吊り下げて取り付けられ、冷凍装置２２と冷却器２５とが冷媒配管により循環接続された構造となっている。冷却器２５は、背面側が少し下がった斜め姿勢で取り付けられている。  
一方、機械室１６の底面、言い換えると冷蔵室１２の天井壁１２Ａにおける奥端寄りの位置には、基台２１よりも一回り小さい窓孔１８が形成され、上記した冷凍ユニット２０の基台２１が、冷却器２５を窓孔１８の下面側に通しつつ同窓孔１８を塞いで取り付けられている。
【００１４】
冷蔵室１２の天井部分における窓孔１８の下面側には、図３に示すような、ドレンパンを兼ねた合成樹脂製のエアダクト３０が張設され、その上方に冷却器室３１が形成されている。エアダクト３０の底面は、奥縁（図２の右側）に向けて下り勾配（冷却器２５の傾斜角度とほぼ同じ）となるように形成され、手前側の領域にベルマウスからなる左右２個の吸込口３２が設けられている。各吸込口３２にはそれぞれ、ファンモータからなる冷却ファン３４が装備され、吸込口３２には、格子状のファンカバー３５が取り付けられている。また、エアダクト３０の奥縁と冷蔵室１２の背面壁との間に吹出口３６が形成されている。
【００１５】
そして、冷凍装置２２（圧縮機２３、凝縮器ファン２４Ａ）を運転しつつ冷却ファン３４を駆動すると、冷蔵室１２の庫内空気が冷却ファン３４によって吸込口３２から冷却器室３１内に吸引され、その空気が冷却器２５を流通する間に熱交換によって冷気が生成され、その冷気が吹出口３６から冷蔵室１２の奥面に沿うようにして吹き出されることにより、冷蔵室１２内に冷気が循環供給され、冷蔵室１２内が冷却されるようになっている。
なお、冷凍室１３側における冷却器室３１の構造、冷凍ユニット２０の配設構造並びに空気の循環流通形態は、上記した冷蔵室１２側と同様である。
【００１６】
基本的な冷却運転は、以下のようにして行われる。冷蔵室１２と冷凍室１３とには、それぞれ庫内温度を検知する庫内温度センサ２７が設けられ、これらは例えば、各冷却器室３１内における冷却器２５の上流側に配されている。一方、図示しない設定部において、冷蔵室１２の庫内設定温度ＴＲ（以下、冷蔵室設定温度ＴＲともいう）と、冷凍室１３の庫内設定温度ＴＦ（以下、冷凍室設定温度ＴＦともいう）が入力できるようになっており、例えば冷蔵室１２では「５℃程度」、冷凍室１３では「−２５℃程度」に設定される。
冷蔵室１２と冷凍室１３とではそれぞれ、冷却ファン３４が駆動される一方、庫内温度センサ２７で検知された庫内温度が、設定温度ＴＲ，ＴＦの上限値に上昇したら、対応する冷凍ユニット２０の圧縮機２３が運転され、同設定温度ＴＲ，ＴＦの下限値に下降したら圧縮機２３が停止され、この動作が繰り返されることで、冷蔵室１２と冷凍室１３の庫内温度が、それぞれほぼ設定温度ＴＲ，ＴＦに維持されるようになっている。
【００１７】
また、各冷却器２５等に付着した霜を除去するために、適宜に除霜運転が行われるようになっている。そのため、図２に示すように、冷却器２５の下面にはシーズヒータからなる除霜ヒータ２９が装備されている。  
一方、エアダクト３０の上面における冷却器２５の下方に対応する位置から、冷却ファン３４の装着位置にわたる領域には、アルミニウム板等の金属板３８が張られている。  
この金属板３８上には、冷却ファン３４付近を加熱するべくコードヒータからなるダクトヒータ４０が装着され、詳細には、図３に示すように、各冷却ファン３４（吸込口３２）における冷却器２５側の半分強の部分の回りを囲むような形態で配線されている。
【００１８】
除霜運転は基本的には、冷凍装置２２（圧縮機２３、凝縮器ファン２４Ａ）と冷却ファン３４とを停止した状態で、除霜ヒータ２９に通電して冷却器２５を加熱することで行われ、溶融された除霜水はエアダクト３０で受けられて流下したのち、同エアダクト３０の下部位置に突設された排水管３０Ａから、冷蔵庫本体１０の背面側に設けられた排水路４２に導かれて排水される。このとき、ダクトヒータ４０にも通電されて発熱し、主に冷却ファン３４（ファンカバー３５）付近の除霜が行われる。ダクトヒータ４０は、冷却運転が開始される前に一旦通電が停止される。
【００１９】
さて本実施形態では、冷蔵室１２に面した仕切壁１１の表面に結露することを防止する手段が講じられている。具体的には、冷蔵室設定温度ＴＲと冷凍室設定温度ＴＦの差が所定温度（例えば１０Ｋ）以上であることを条件に、冷却運転中において、当該冷凍冷蔵庫の設置位置の周囲温度と、冷蔵室設定温度ＴＲとの差に応じて、ダクトヒータ４０への通電を制御するようになっている。  
そのため、マイクロコンピュータ、タイマ等を搭載したヒータ制御部５０が設けられている。ヒータ制御部５０の入力側には、予め設定された冷蔵室設定温度ＴＲを取り込む冷蔵室設定温度取込部５５と、予め設定された冷凍室設定温度ＴＦを取り込む冷凍室設定温度取込部５６と、当該冷凍冷蔵庫の設置位置の周囲温度を検知する周囲温度センサ５７とが接続されている。また、同入力側には、当該冷蔵冷凍庫の運転状況に応じた信号を送出する運転状況検知部５８が接続されている。
【００２０】
ヒータ制御部５０には、比較部５１と、温度差演算部５２と、通電率制御部５３とが具備されている。比較部５１は、運転状況検知部５８により冷却運転が開始されるタイミングとなったときに、冷蔵室設定温度取込部５５から取り込んだ冷蔵室設定温度ＴＲと、冷凍室設定温度取込部５６から取り込んだ冷凍室設定温度ＴＦとを比較し、冷蔵室設定温度ＴＲの方が、冷凍室設定温度ＴＦよりも所定値（１０Ｋ）以上大きい場合に演算指示信号を送出するように機能する。  
温度差演算部５２は、比較部５１から演算指示信号が出された場合に、周囲温度センサ５７で検知された周囲温度と、上記した冷蔵室設定温度取込部５５から取り込んだ冷蔵室設定温度ＴＲとの差を演算する。
【００２１】
通電率制御部５３は、温度差演算部５２で演算された温度差に応じて通電率を決定し、決定された通電率を、ダクトヒータ４０に対して適用するようになっている。  
通電率Ｅ（％）は、例えば１００秒間でＥ秒がオンし、（１００−Ｅ）秒がオフするものであり、「０％」から「４０％」の５段階のパターンを有しており、周囲温度と冷蔵室設定温度ＴＲとの差Ｄが小さいほど、通電率Ｅが大きいパターンが設定されるようになっている。具体的には、図５のグラフに示すように、Ｄ（温度差）＜０のときはＥ（通電率）＝４０、０≦Ｄ＜５のときはＥ＝３０、５≦Ｄ＜１０のときはＥ＝２０、１０≦Ｄ＜１５のときはＥ＝１０、Ｄ≧１５のときはＥ＝０となっている。
【００２２】
続いて、本実施形態の作用を図６のフローチャートを参照して説明する。除霜運転が完了して冷却運転が開始されるタイミングとなると、冷蔵室設定温度取込部５５から冷蔵室設定温度ＴＲが、冷凍室設定温度取込部５６から冷凍室設定温度ＴＦがそれぞれ取り込まれ、比較部５１において両設定温度ＴＲ，ＴＦが比較される。冷蔵室設定温度ＴＲの方が、冷凍室設定温度ＴＦよりも所定値（１０Ｋ）以上大きいと、温度差演算部５２に向けて演算指示信号が送出される。  
逆に、設定温度ＴＲ，ＴＦの差が１０Ｋ未満であると、ダクトヒータ４０への通電は行われない。冷蔵室１２と冷凍室１３の設定温度ＴＲ，ＴＦの差が小さければ、冷蔵室１２に面した仕切壁１１の表面温度が冷凍室１３側の冷熱を受けて低くなる可能性が少なく、したがって結露を防ぐべく冷蔵室１２内を昇温する必要がないとの趣旨である。  
なお、冷却運転の開始に際しては、冷凍装置２２の起動後、冷却ファン３４を所定時間遅延させて駆動させることにより、急激な庫内温度の上昇を抑制している。
【００２３】
上記のように冷蔵室１２と冷凍室１３の設定温度ＴＲ，ＴＦの差が大きくて、温度差演算部５２が演算指示信号を受けると、同温度差演算部５２では、周囲温度センサ５７で検知された周囲温度と、上記した冷蔵室設定温度取込部５５で取り込まれた冷蔵室設定温度ＴＲとの差Ｄが演算される。そうすると、通電率制御部５３において、上記の演算された温度差Ｄに対応して通電率Ｅが決定され、冷却運転中に亘り、その決定された通電率Ｅによりダクトヒータ４０に通電されることになる。
【００２４】
冷却運転中において、冷蔵室１２では、庫内温度が冷蔵室設定温度ＴＲの上限値に上昇したら冷却器２５による冷却動作が実行され、同設定温度ＴＲの下限値まで下降したら冷却動作が停止され、この動作が繰り返されるのであるが、上記のようにダクトヒータ４０に通電されると、冷蔵室１２の天井部に張られたエアダクト３０が加熱されることにより、冷蔵室１２の庫内温度が上昇し、その結果、冷却動作が実行される時間が長くなる。冷却動作が実行されるということは、庫内空気が低温状態にある冷却器２５を通過しつつ冷蔵室１２内に循環流通するのであり、この間、冷却器２５に着霜することで除湿効果が得られ、すなわち冷蔵室１２内の湿度が低下し、結果、冷蔵室１２に面した仕切壁１１の表面に結露することが抑制される。
【００２５】
以上のように本実施形態によれば、冷蔵室１２の庫内設定温度ＴＲと冷凍室１３の庫内設定温度ＴＦとの差が所定値（１０Ｋ）以上ある場合、すなわち冷蔵室１２に面した仕切壁１１の表面が冷凍室１３側の冷熱の影響を受けて低温状態にあると見なされる際には、冷却運転中において、冷蔵室１２の天井部で冷却器室３１を形成するべく張られたエアダクト３０に装着されたダクトヒータ４０に通電されてエアダクト３０が加熱される。それにより冷蔵室１２の庫内温度が上昇するために冷却動作が実行される時間が長くなり、庫内空気が冷却器２５を通過することに伴う除湿効果によって冷蔵室１２の庫内湿度が低下し、冷蔵室１２側の仕切壁１１への結露が防止される。
【００２６】
ここで、周囲温度と冷蔵室設定温度ＴＲとの差が小さいほど、庫外からの熱侵入による冷蔵室１２の温度上昇が少なく、したがってダクトヒータ４０の発熱よる補助が多く必要であり、逆に周囲温度と冷蔵室設定温度ＴＲとの差が大きくなれば、庫外からの熱侵入による冷蔵室１２側の温度上昇が多くなることで、ダクトヒータ４０の発熱よる補助が少なくて済むという事情がある。  
そこで本実施形態では、周囲温度と冷蔵室設定温度ＴＲとの差が小さいほどダクトヒータ４０に対する通電率を高くして発熱量が大きくなるようにし、すなわち必要に応じたダクトヒータ４０の発熱量を得るようにして、消費電力を最小限に抑えている。またダクトヒータ４０の発熱量が多過ぎて冷蔵室１２内が過剰昇温されると、逆に冷却動作の実行時間が長くなり過ぎて冷凍装置２２の運転用の電力も余分に必要となるが、この実施形態では過剰な冷却動作も防止される。  
結果、電力消費を極力抑えた上で冷蔵室１２に面した仕切壁１１へ結露することを抑制できる。
【００２７】
＜実施形態２＞
上記実施形態では、冷蔵室１２の昇温を補助する手段として、冷蔵室１２の天井部において冷却器室３１を形成するべく張られたエアダクト３０に装着されたダクトヒータ４０を用いたのであるが、実施形態２では、上記したダクトヒータ４０を装備していない形式の冷凍冷蔵庫にも適用するべく、図２及び図４の鎖線に示すように、除霜運転時において冷却器２５を加熱することに用いる除霜ヒータ２９を、昇温補助用のヒータとして採用している。ヒータ制御部５０を含む他の構造については、上記実施形態１と同様である。
【００２８】
実施形態２の作用を簡単に述べると、以下のようである。冷蔵室１２の庫内設定温度ＴＲと冷凍室１３の庫内設定温度ＴＦとの差が所定値（１０Ｋ）以上あって、冷蔵室１２に面した仕切壁１１の表面が低温状態にあると見なされる際には、冷却運転中において、冷却器２５に装着された除霜ヒータ２９に通電されて発熱される。これにより、エアダクト３０を挟んで冷蔵室１２の庫内温度が上昇するために冷却動作が実行される時間が長くなり、同じく庫内空気が冷却器２５を通過することに伴う除湿効果によって冷蔵室１２の庫内湿度が低下し、冷蔵室１２側の仕切壁１１への結露が防止される。
【００２９】
また、除霜ヒータ２９を発熱させるに当たり、同じく通電率を制御して必要に応じた除霜ヒータ２９の発熱量を得るようにしており、電力消費を極力抑えた上で冷蔵室１２に面した仕切壁１１への結露することを抑制できる。  
この実施形態２では特に、除霜運転機能を備えた冷凍冷蔵庫に必須の除霜ヒータ２９を昇温補助用のヒータに兼用したから、コスト低減に寄与することができる。
【００３０】
＜他の実施形態＞
本発明は上記記述及び図面によって説明した実施形態に限定されるものではなく、例えば次のような実施形態も本発明の技術的範囲に含まれる。  
（１）上記実施形態では、昇温補助用のヒータ（ダクトヒータまたは除霜ヒータ）への通電率の決定を、冷却運転が開始されるタイミングでのみ行う場合を例示したが、冷却運転中、所定時間間隔ごとに通電率の見直しをするようにしてもよい。また、通電率の決定を、冷却運転が開始される直前に行うようにしてもよい。  
（２）上記実施形態では、昇温補助用のヒータに対する通電率の変更は５段階に亘って行う場合を例示したが段階の数は任意である。また、通電率と、周囲温度と冷蔵室設定温度の差との関係についても、上記実施形態に例示したものに限らず、当該冷却貯蔵庫の使用形態等の条件に応じて任意に選定できる。
【００３１】
（３）ヒータの通電制御の要否を見極める冷蔵室設定温度と冷凍室設定温度との差は、上記実施形態に例示した１０Ｋに限らず、任意に設定できる。  
（４）昇温補助用のヒータの発熱量を制御する手段としては、上記実施形態に例示したヒータへの通電率を変更すること以外に、ヒータへの供給電力を変更する等の他の手段を用いてもよい。  
（５）昇温補助用ヒータとしては、上記実施形態に例示したダクトヒータ、除霜ヒータ以外に、別のヒータを準備するようにしてもよい。
【００３２】
（６）上記実施形態では、冷蔵室と冷凍室とに独立した冷凍サイクルが個別に装備された形式のものを例示したが、本発明は、冷蔵室と冷凍室の各冷却器が、圧縮機を有する共通の冷凍装置と循環接続されるとともに、各冷却器への冷媒の流通の可否を切り替える弁機構が備えられており、各冷却器は、圧縮機が運転された状態において、弁機構による同冷却器への冷媒の流通とその停止とに伴って、冷却動作の実行とその停止とが制御される形式のものにも、同様に適用することができる。  
（７）さらに本発明は、上記実施形態に例示した冷凍冷蔵庫に限らず、本体内に複数の貯蔵室が区分して形成されて、互いに異なった設定温度に冷却可能とされた冷却貯蔵庫全般に適用可能である。
【符号の説明】
【００３３】
１０…本体（貯蔵庫本体）  １１…仕切壁  １２…冷蔵室（庫内設定温度が高い方の貯蔵室）  １３…冷凍室（庫内設定温度が低い方の貯蔵室）  ２０…冷凍ユニット  ２２…冷凍装置  ２５…冷却器  ２７…庫内温度センサ  ２９…除霜ヒータ  ３０…エアダクト  ３１…冷却器室  ３２…吸込口  ３４…冷却ファン  ３６…吹出口  ４０…ダクトヒータ  ５０…ヒータ制御部（ヒータ制御手段）  ５１…比較部  ５２…温度差演算部  ５３…通電率制御部  ５５…冷蔵室設定温度取込部  ５６…冷凍室設定温度取込部  ５７…周囲温度センサ  ＴＲ…冷蔵室設定温度  ＴＦ…冷凍室設定温度
【図１】
2010266123.tif 000003
【図２】
2010266123.tif 000004
【図３】
2010266123.tif 000005
【図４】
2010266123.tif 000006
【図５】
2010266123.tif 000007
【図６】
2010266123.tif 000008